(57)【特許請求の範囲】
【請求項１】
ワイヤ枠体物と非枠体構造物との連結において、垂直板部の上辺に係止板部を一連一体に有して断面Ｌ字形状に曲折形成し、前記係止板部は半円形孔を穿って一辺側に垂直板部との間に開口して前記半円形孔に連通する導通路を穿って平面フック形状を呈して形成したことを特徴とするワイヤ枠体物の連結金具。
【請求項２】
ワイヤ枠体物と非枠体構造物との連結において、垂直板部の上辺に係止板部を有すると共に下辺に前記係止板部と平行し且つ１本のワイヤが収まる間隔を設けて受板部を一連一体に有して断面コ字形状に曲折形成し、前記係止板部は半円形孔を穿って一辺側に垂直板部との間に開口して前記半円形孔に連通する導通路を穿って平面フック形状を呈して形成したことを特徴とするワイヤ枠体物の連結金具。
【請求項３】
横ワイヤと縦ワイヤとで格子状に組立てられたワイヤ枠体物同士の連結において、垂直板部の上辺に係止板部を有すると共に下辺に前記係止板部と平行し且つ２本のワイヤが収まる間隔を設けて取付板部を一連に有して断面コ字形に曲折形成し、前記係止板部は半円形孔を穿って、一辺側を垂直板部との間に開口して前記半円形孔に連通する導通路を穿って平面フック形状を呈して形成したことを特徴とするワイヤ枠体物の連結金具。
【発明の詳細な説明】
【０００１】
【発明の属する技術分野】
本発明は、ワイヤフレームから格子状等の枠体構造物に組立て形成した種々の器物類を、着脱自在、及び開閉若しくは折り曲げ又は折り畳みが可能に連結する新規なワイヤ枠体物の連結金具に関するものである。
【０００２】
【従来の技術】
従来、ワイヤフレーム等から格子状に組立て形成した構造物として、例えば、照明器具の保護カバー、点検窓のカバー、ストーブの安全柵、製品の運搬篭、又は、ヘンス等の立体的な形状、或いは、球形又は半球形、パネルのような平面形状等の種々の枠体形状に形成した種々の器具類があり、これらのワイヤ枠体物は相方がワイヤ枠体物であったり或いは非枠体物である構造物に対し、開閉若しくは折り曲げ或いは折り畳みを可能に連結したものがあるが、この種従来のヤイヤ枠体物の連結は、例えば図１８に示すように、ワイヤフレームにより格子状に形成した枠体構造物同士を連結する場合に、味方フレーム体（イ）と相方フレーム体（ロ）との互いの外縁ワイヤ（ハ）と（ニ）とを２本の筒部（ホ）、（ヘ）を一連的一体に並列して形成した連結具（ト）により筒部（ホ）、（ヘ）にそれぞれに遊挿することにより、味方又は相方のどちらか一方のフレーム体が回転自在となるように連接しているのが普通一般的な手段であった。
【０００３】
【発明が解決しようとする課題】
しかしながら、これらのワイヤ枠体物に取り付けた連結具（ト）は、味方フレーム体（イ）のみならず相方フレーム体（ロ）に一旦取り付けたら取外しができないように設置されている。そのために、味方又は相方フレーム体（イ）、（ロ）のどちらかが破損等により交換を必要とする場合に、連結具（ト）を交換するか、又は、味方又は相方フレーム体（イ）、（ロ）全体を新しく交換しなければならない。また、器具によっては、相方フレーム体（ロ）は回転させるだけでなく、作業によっては味方フレーム体（イ）から取り外す必要が生じる場合があっても、従来の連結具（ト）にあっては、相方フレーム体を連結具（ト）から取外すことが不可能であって、その取り扱いが極めて不便である等の課題があった。
【０００４】
また、ワイヤ枠体物を連結する相方が非枠体物である場合には、相方となる構造物に対応して、それに相応しい特別仕様に形成した連結金具が提供され、それ故に、ワイヤ枠体物を非ワイヤ枠体物に連結するための汎用の連結金具の提供ができ得ない等の課題があった。
【０００５】
本発明は、上記の課題に鑑みてなされたものであって、その目的とするところは、ワイヤ枠体物を、相方がワイヤ枠体物又は非枠体構造物のどちらにも、着脱自在に設置することを可能にし、しかも、ワイヤ枠体物が相方に対して、開閉及び折り曲げ或いは折り畳みが可能となるように回転自在に連結設置する汎用のワイヤ枠体物の連結金具を提供することにある。
【０００６】
【課題を解決するための手段】
上記目的を達成するために、本発明に係るワイヤ枠体物の連結金具は、ワイヤ枠体物と非枠体構造物との連結において、垂直板部の上辺に係止板部を一連一体に有して断面Ｌ字形状に曲折形成し、前記係止板部は半円形孔を穿って一辺側に垂直板部との間に開口して前記半円形孔に連通する導通路を穿って平面フック形状を呈して形成してなる。また、垂直板部の上辺に平面フック形状を呈する係止板部を有すると共に下辺に前記係止板部と平行し且つ１本のワイヤが収まる間隔を設けて受板部を一連一体に有して断面コ字形状に曲折形成してなる。
【０００７】
更に、横ワイヤと縦ワイヤとで格子状に組立てられたワイヤ枠体物同士の連結において、垂直板部の上辺に係止板部を有すると共に下辺に前記係止板部と平行し且つ２本のワイヤが収まる間隔を設けて取付板部を一連に有して断面コ字形に曲折形成し、前記係止板部は半円形孔を穿って、一辺側を垂直板部との間に開口して前記半円形孔に連通する導通路を穿って平面フック形状を呈して形成してなる。
【０００８】
前記ワイヤ枠体物同士を連結する連結金具において、取付板部は軸方向へ両側へ延長する長板状に形成するとともに係止板部の半円形孔と互いに連通し合って円形となる半円形切欠部を穿ってなるのが好ましい。
【０００９】
また、前記各連結金具において、各係止板部の開口及び導通路は、垂直板部の上縁を切欠した段差を設けて外縁ワイヤの直径よりやや大き目の幅広に穿設し、半円形孔及び半円形切欠部は縦ワイヤが収まる位置で且つ外縁ワイヤが収まる直径を有して形成するのが好ましい。
【００１０】
【発明の実施の形態】
以下本発明の実施の形態を実施例に基づいて以下に説明する。
【００１１】
（実施例１）
この実施例１は、ワイヤ枠体物を非枠体構造物に連結するための連結金具であり、図1はこの実施例１の連結金具の斜視図、図2はその平面図、図３はその右側面図、図４はこの実施例１の連結金具でワイヤ枠体物を非枠体構造物に連結して示す斜視図で、ワイヤ枠体物Ｗは、図４に示すように、横ワイヤ１と縦ワイヤ２との互いの外周面で接着されて格子状のフレーム体３として組立てられ、このフレーム体３は外縁ワイヤ４で、着脱自在に、及び開閉、折り曲げ或いは折り畳みが可能となるように非枠体構造物Ｂに連結金具１Ａを介して連結される。
【００１２】
この実施例１の連結金具１Ａは、図1乃至図３に示すように、垂直板部５の上辺に係止板部６を一連に有して断面Ｌ字形に曲折形成し、前記係止板部６は板面中央部に半円形孔７を穿って、一辺側を垂直板部５との間に開口８して前記半円形孔７に連通する導通路９を穿って平面フック形状を呈して形成される。
【００１３】
この実施例１において、連結金具１Ａは、図５に示すように、係止板部６が非枠体構造物Ｂの縁部の上面１０の上方向きにし且つ上面１０との間にフレーム体３の外縁ワイヤ４が一本収まる間隔を備えさせて、垂直板部５で非枠体構造物Ｂの側壁面に固着設置する。このように連結金具１Ａを取付た非枠体構造物Ｂに、ワイヤ枠体物Ｗを連結する場合、図５に示すように、フレーム体３の外縁ワイヤ４を係止板部６の下面と非枠体構造物Ｂの縁部の上面１０との間に置き、フレーム体３の縦ワイヤ２を図５の鎖線で示す横向きにして係止板部６へ向けて移動させて縦ワイヤ２を係止板部６の開口８から導通路９へ導き入れ、そして回転すると、図５の実線で示すように、フレーム体３の縦ワイヤ２が半円形孔７に収められる。そして、フレーム体３が、外縁ワイヤ４を回転軸として回動自在に設置され、フレーム体３を非枠体構造物Ｂに対して、図６に断面で示すように、開閉自在、折り曲げ自在に取り付けられる。
【００１４】
次に、フレーム体３を非枠体構造物Ｂから取り外すときは、フレーム体３を略９０°回転するとフレーム体３の縦ワイヤ２が係止板部６の導通路９に位置するので、縦ワイヤ２を開口８の側へ抜き出すように移動させることにより容易に離脱させることができる。
【００１５】
（実施例２）
この実施例２は、前記実施例１と同様のワイヤ枠体物Ｗを非枠体構造物Ｂに連結するための連結金具であり、図７はこの実施例２の連結金具の斜視図、図８はその右側面図、図９はこの実施例２の連結金具でワイヤ枠体物を相方の非枠体構造物に連結して示す要部拡大右側面図で、この実施例２の連結金具２Ａは、図７及び図８に示すように、垂直板部５の上辺に係止板部６を一連に有すると共に下辺に前記係止板部と平行する受板部１１を有して断面コ字形に曲折形成し、前記係止板部６は、実施例１と同様に、半円形孔７を穿って、一辺側を垂直板部５との間に開口８して半円形孔７に連通する導通路９を穿って平面フック形状に形成される。また、前記垂直板部５は、係止板部６と受板部１１との間隔をフレーム体３の外縁ワイヤ４が一本収まる間隔に形成される。
【００１６】
この実施例２において、連結金具２Ａは、図９に示すように、係止板部６と受板部１１とが非枠体構造物Ｂに対して反対する向きにし且つ係止板部６を非枠体構造物Ｂの縁部の上面１０と略同一面に位置させ、そして垂直版部５で非枠体構造物Ｂの縁部の側面に固着設置する。このように連結金具２Ａを取付た非枠体構造物Ｂに、ワイヤ枠体物Ｗを連結する場合、フレーム体３の外縁ワイヤ４を係止板部６と受板部１１の間に収めて、縦ワイヤ２を、実施例１と同様の操作により、即ち、図９に鎖線で示す横向きにして、係止板部６へ向けて移動させて縦ワイヤ２を係止板部６の開口８から導通路９へ導き入れ、そして回転すると、図９の実線で示すように、フレーム体３の縦ワイヤ２が半円形孔７に収められる。そして、フレーム体３が、外縁ワイヤ４を回転軸として回動自在に設置され、フレーム体３を非枠体構造物Ｂに対して、開閉自在、折り曲げ自在に取り付けられる。
【００１７】
次に、フレーム体３を非枠体構造物Ｂから取り外すときは、実施例１と同様の操作をすることにより、容易に離脱させることができる。
【００１８】
（実施例３）
この実施例３は、フレーム体同士を連結するための連結金具であり、図１０は、この実施例３の連結金具の斜視図、図１１はその正面図、図１２はその平面図、図１３はその右側面図、図１４はフレーム体同士を連結して示す斜視図で、ワイヤ枠体物２Ｗは、照明器具の保護カバーで、図１４に示すように、横ワイヤ１と縦ワイヤ２との互いの外周面で接着されて格子状の構造物として半球形に組立てられた一対の味方フレーム体３ａと相方フレーム体３ｂとを互いの外縁ワイヤ４ａ及び４ｂ同士で、着脱自在、及び開閉、折り曲げ或いは折り畳みが可能となるように連結金具３Ａを介して連結されてそれぞれ示す。
【００１９】
この実施例３の連結金具３Ａは、図１０乃至図１３に示すように、垂直板部５の上辺に係止板部６を一連に有すると共に下辺に前記係止板部６と平行する取付板部１２を有して断面コ字形に曲折形成し、前記係止板部６は、実施例１と同様に、板面中央に半円形孔７を穿って、一辺側を垂直板部５との間に開口８して半円形孔７に連通する導通路９を穿って平面フック形状を呈して形成される。
【００２０】
前記取付板部１２は、味方及び相方フレーム体３ａ及び３ｂのそれぞれの外縁ワイヤ４ａ又は４ｂに確実に固着設置できるようにするために、軸方向へ両側へ延長する長板状に形成するとともに係止板部７の半円形孔７と反対する側の半円形切欠部１３を穿って、この半円形切欠部１３と係止板部６の半円形孔７とで互いに連通し合って円形となるように形成する。
【００２１】
また、垂直板部５の高さ、即ち、取付板部１２と係止板部６との間隔は、味方と相方フレーム体３ａ，３ｂの外縁ワイヤ４ａ，４ｂとが並列に収まる間隔を備えて形成するのが好ましい。
【００２２】
上記構成になる連結金具３Ａは、取付板部１２を図１４に示す照明器具２Ｗの相方フレーム３ｂの外縁ワイヤ４ｂの下面位置でロー付け等により固着して半円形切欠部１３に縦ワイヤ２を収めるようにして、係止板部７が相方フレーム３ｂの上面向きに位置した状態に設置する。このように連結金具３Ａを取付た相方フレーム３ｂを味方フレーム３ａに連結する場合、図１５に示すように、味方フレーム３ａの外縁ワイヤ４ａを係止板部７の下面から相方フレーム３ｂの外縁ワイヤ４ｂの上に並べて重ねて置き、味方フレーム３ａの縦ワイヤ２（図１５の鎖線で示す）を係止板部７へ向けて移動させて縦ワイヤ２を係止板部７の開口９から導通路１０へ導き入れて回転するると、図１５の実線で示すように、味方フレーム３ａの縦ワイヤ２が半円形孔８に収められる。そして、相方フレーム４ｂが、味方フレーム３ａの外縁ワイヤ４ａを回転軸として回動自在に設置され、相方フレーム３ｂを味方フレーム３ａに対して、図１５に示すように、開閉自在、折り曲げ自在に取り付けられる。
【００２３】
次に、相方フレーム３ｂを味方フレーム３ａから取り外すときは、相方フレーム３ｂを味方フレーム３ａに対して略９０°回転すると味方フレーム３ａの縦ワイヤ２が係止板部７の導通路１０に位置するので、縦ワイヤ２を開口９の側へ抜き出すように移動させることにより容易に離脱させることができる。
なお、図１４において、連結金具３Ａは相方フレーム３ｂに固着設置したが、照明器具２Ｗの器具の取り扱い上から選択されたもので、味方フレーム３ａに固着設置しても良いこと勿論である。
【００２４】
また、図１７は平板形状のワイヤ枠体物になる、例えば格子状に枠組みしてなる柵３Ｗは、図１４に示す照明器具の保護カバー２Ｗと同様に、横ワイヤ１と縦ワイヤ２との互いの外周面で接着して平板状に組立てられた味方フレーム３ａに相方フレーム３ｂとの互いの外縁ワイヤ４ａ及び４ｂ同士を、実施例３の連結金具２Ａを使用して連結する。そして、相方フレーム３ｂは、味方フレーム３ａに対して開閉、折り曲げ或いは折り畳みが可能となる。
尚、連結金具３Ａと味方フレーム３ａ及び相方フレーム３ｂとの取付け手順は、前記の照明器具２Ｗと全く同様である。
【００２５】
尚、前記実施例１乃至３に示したそれぞれの連結金具１Ａ，２Ａ，３Ａは、フレーム体３，３ａ，３ｂの取付が容易となるように、垂直板部５の上縁を僅かに切欠した段部１４を穿設して、係止板部６の開口８及び導通路９を縦ワイヤ２の直径よりやや大き目の幅広に形成するのが好ましい。また、半円形孔７は縦ワイヤ２が収まる位置で且つこの縦ワイヤ２が収まる直径を有して形成するのが好ましい。
【００２６】
【発明の効果】
本発明は上記の構成になるので、連結金具は、ワイヤを用いて格子状のフレーム体として組立てられたワイヤ枠体物を、ワイヤ枠体物のみならず非枠体構造物に対して、着脱自在に、及び開閉、折り曲げ或いは折り畳みが可能となるように連結することができる等の効果を奏する。、
【図面の簡単な説明】
【図１】本発明の実施例１の連結金具の斜視図である。
【図２】本発明の実施例１の連結金具の平面図である。
【図３】本発明の実施例１の連結金具の右側面図である。
【図４】本発明の実施例１の連結金具の使用例を示す斜視図である。
【図５】本発明の実施例１の連結金具の使用例を示す要部拡大斜視図である。
【図６】本発明の実施例１の連結金具の使用例を示す要部拡大断面図である。
【図７】本発明の実施例２の連結金具の斜視図である。
【図８】本発明の実施例２の連結金具の右側面図である。
【図９】本発明の実施例２の連結金具の使用例を示す要部拡大右側面図である。
【図１０】本発明の実施例３の連結金具の斜視図である。
【図１１】本発明の実施例３の連結金具の正面図である。
【図１２】本発明の実施例３の連結金具の平面図である。
【図１３】本発明の実施例３の連結金具の右側面図である。
【図１４】本発明の実施例３の連結金具を照明器具のような球形の枠体物に使用した状態を示す斜視図である。
【図１５】本発明の実施例３の連結金具を枠体物の外縁ワイヤ同士が連結されている状態を示す要部拡大斜視図である。
【図１６】本発明の実施例３の連結金具で連結された枠体物の味方フレームが回転した状態を示す要部拡大斜視図である。
【図１７】本発明の実施例３の連結金具をヘンスのような平面形状の枠体物に使用した状態を示す斜視図である。
【図１８】従来連結金具の使用状態を示す斜視図である。
【符号の説明】
１Ａ、２Ａ、３Ａ    連結金具
Ｂ        非枠体構造物
１Ｗ、２Ｗ    ワイヤ枠体物
１        横ワイヤ
２        縦ワイヤ
３        フレーム体
３ａ      味方フレーム
３ｂ      相方フレーム
４ａ      外縁ワイヤ
４ｂ      外縁ワイヤ
５        垂直板部
６        係止板部
７        半円形孔
８        開口
９        導通路
１０      上面
１１      受板部
１２      取付板部
１３      半円形切欠部
１４      段部
【図１】
0004617409.tif 000002
【図２】
0004617409.tif 000003
【図３】
0004617409.tif 000004
【図４】
0004617409.tif 000005
【図５】
0004617409.tif 000006
【図６】
0004617409.tif 000007
【図７】
0004617409.tif 000008
【図８】
0004617409.tif 000009
【図９】
0004617409.tif 000010
【図１０】
0004617409.tif 000011
【図１１】
0004617409.tif 000012
【図１２】
0004617409.tif 000013
【図１３】
0004617409.tif 000014
【図１４】
0004617409.tif 000015
【図１５】
0004617409.tif 000016
【図１６】
0004617409.tif 000017
【図１７】
0004617409.tif 000018
【図１８】
0004617409.tif 000019